(57)【要約】【課題】評価者に依存することなく、即座に評価対象マシンに最適なチェックリストを作成するチェックリスト生成装置、チェックリスト生成方法及びチェックリスト生成プログラムを提供すること【解決手段】本発明のチェックリスト生成装置は、評価対象マシン１の構成要素情報を取得する構成要素情報取得手段１１と、マシンの構成要素情報と当該構成要素の基本動作を確認する評価項目を関連付けて記憶する基本動作評価項目記憶手段１３と、マシンの構成要素情報と当該構成要素に関する障害情報を関連付けて記憶する障害情報記憶手段１４を備えている。また、基本動作評価項目記憶手段１３と障害情報記憶手段１４から評価対象マシン１の構成要素情報に対応する評価項目を抽出し前記評価対象マシンの評価に用いるチェックリストを生成するチェックリスト生成手段１２とを備えるものである。【選択図】図１
2010244439.tif 000002
【特許請求の範囲】
【請求項１】
評価対象マシンを構成する構成要素に関する構成要素情報を取得する構成要素情報取得手段と、
マシンの構成要素のそれぞれと当該構成要素の基本動作を確認する評価項目を対応付けて記憶する基本動作評価項目記憶手段と、
前記マシンの構成要素のそれぞれと当該構成要素に関する障害情報を対応付けて記憶する障害情報記憶手段と、
前記構成要素情報取得手段により取得された構成要素情報に基づいて、前記基本動作評価項目記憶手段から当該構成要素情報に含まれる各構成要素に対応する評価項目を抽出するとともに前記障害情報記憶手段から当該構成要素情報に含まれる各構成要素に対応する障害情報に基づく評価項目を抽出し前記評価対象マシンの評価に用いるチェックリストを生成するチェックリスト生成手段とを備えるチェックリスト生成装置。
【請求項２】
前記基本動作評価項目記憶手段は、前記マシンの２以上の前記構成要素の組み合わせと当該構成要素の組み合わせの基本動作を確認する評価項目を対応付けてさらに記憶することを特徴とする請求項１記載のチェックリスト生成装置。
【請求項３】
前記障害情報記憶手段は、前記マシンの２以上の前記構成要素の組み合わせと当該構成要素の組み合わせの障害情報を対応付けてさらに記憶することを特徴とする請求項１又は２記載のチェックリスト生成装置。
【請求項４】
前記チェックリスト生成手段は、抽出した前記マシンの２以上の構成要素の組み合わせに対応付けられた当該構成要素の組み合わせの基本動作を確認する評価項目のうち、前記構成要素情報取得手段により取得された構成要素情報に含まれる各構成要素を含まない評価項目を削除することを特徴とする請求項２に記載のチェックリスト生成装置。
【請求項５】
前記チェックリスト生成手段は、抽出した前記マシンの２以上の構成要素の組み合わせに対応付けられた当該構成要素の組み合わせの障害情報に基づいて生成される評価項目のうち、前記構成要素情報取得手段により取得された構成要素情報に含まれる各構成要素を含まない評価項目を削除することを特徴とする請求項３に記載のチェックリスト生成装置。
【請求項６】
前記構成要素情報取得手段は、評価対象マシンを構成するハードウェアの型番情報を取得し、
前記基本動作評価項目記憶手段は、前記構成要素情報取得手段が取得したハードウェアの型番に評価項目を対応付けて記憶し、
前記障害情報記憶手段は、前記構成情報取得手段が取得したハードウェアの型番に評価項目を対応付けて記憶することを特徴とする請求項１乃至５のいずれか１項に記載のチェックリスト生成装置。
【請求項７】
前記構成情報取得手段は、評価対象マシンを構成するソフトウェア名情報を取得し、
前記基本動作評価項目記憶手段は、前記構成情報取得手段が取得したソフトウェア名情報に評価項目を対応付けて記憶し、
前記障害情報記憶手段は、前記構成情報取得手段が取得したソフトウェア名情報に評価項目を対応付けて記憶することを特徴とする請求項１又は６記載のチェックリスト生成装置。
【請求項８】
前記障害情報記憶手段により記憶される障害情報は、随時更新可能であることを特徴とする請求項１乃至７のいずれか１項に記載のチェックリスト生成装置。
【請求項９】
前記チェックリスト生成手段は、評価項目数を指定された場合は、各評価項目の優先順に評価項目の絞り込みを行い、チェックリストを生成することを特徴とする請求項１乃至８のいずれか１項に記載のチェックリスト生成装置。
【請求項１０】
評価対象マシンを構成する構成要素に関する構成要素情報を取得するステップと、
前記構成要素情報に含まれる各構成要素に予め対応付けられている評価項目を抽出するとともに、当該構成要素情報に含まれる各構成要素に予め対応付けられている障害情報に基づいて定められる評価項目を抽出するステップと、
前記抽出した評価項目から、当該構成要素の動作を確認する評価項目と当該構成要素を組み合わせた動作を確認する評価項目を選択しチェックリストを生成するステップを備えるチェックリスト生成方法。
【請求項１１】
評価対象マシンを構成する構成要素に関する構成要素情報を取得するステップと、
前記構成要素情報に含まれる各構成要素に予め対応付けられている評価項目を抽出するとともに、当該構成要素情報に含まれる各構成要素に予め対応付けられている障害情報に基づいて定められる評価項目を抽出するステップと、
前記抽出した評価項目から、当該構成要素の動作を確認する評価項目と当該構成要素を組み合わせた動作を確認する評価項目を選択しチェックリストを生成するステップとをチェックリスト生成装置の制御コンピュータに実行させるチェックリスト生成プログラム。
【発明の詳細な説明】
【技術分野】
【０００１】
本発明はチェックリスト生成装置、チェックリスト生成方法及びチェックリスト生成プログラムに関し、特にマシンの評価に用いるチェックリストの生成に関する。
【背景技術】
【０００２】
近年コンピュータの販売方法として、ハードウェア構成をカスタマイズして製造したコンピュータを販売する方法が用いられている。コンピュータを構成するＣＰＵ（Central Processing Unit）、メモリ、ハードディスク、光学ドライブ等の各部品を、異なるメーカ製品を用いてコンピュータを構成するものである。ハードウェア構成をカスタマイズしてコンピュータを販売する場合には、コンピュータが正常に動作するか否かを評価し、評価結果が良好である場合にコンピュータの販売を行うことになる。この場合、ハードウェアの構成（組み合わせ）は無数に存在し、さらにハードウェアとソフトウェアの組み合わせも無数に存在する。このような場合に、カスタマイズ後のコンピュータ装置の評価項目も、ハードウェアの組み合わせ及びハードウェアとソフトウェアの組み合わせに応じて存在するため、非常に多くの項目の評価が必要となる。このため、ハードウェアをカスタマイズして製造販売するコンピュータの評価を効率的に行う方法が求められている。
【０００３】
特許文献１には、複数要素の組み合わせから構成される製品の組み合わせの可否や構成品の漏れについてチェックをする構成要素判定装置について開示している。構成要素判定装置は、予め構成要素の組み合わせの適否を設定したマスタ情報と複数要素を組み合わせた製品を比較することにより構成要素の組み合わせ可否等を自動的に判定するものである。
【０００４】
特許文献２には、メーカにおける製品開発の効率化を図るための設計支援システムについて開示している。設計支援システムは、製品開発における設計結果に対する評価を的確に行うために、その評価を専門とする部署とのやり取りをできるように、製品情報をデータベース化したものである。
【０００５】
特許文献３には、多数のルールの中から、目標値を満たす最適なルールの組み合わせを抽出するルール組み合わせ作成方法について開示している。ルール組み合わせ作成方法をもちいることにより、意思決定における優先度を考慮し、評価データに基づいてルールの組み合わせを評価することにより、ルールの組み合わせを最適化できるというものである。
【先行技術文献】
【特許文献】
【０００６】
【特許文献１】特開２０００−２７１８２６号公報
【特許文献２】特開２００４−５４４５４号公報
【特許文献３】特開２００５−２５８４９７号公報
【発明の概要】
【発明が解決しようとする課題】
【０００７】
しかし、上述した特許文献１乃至３に開示した技術は、構成の組み合わせがＯＫ／ＮＧというものを評価しているが、ＯＫ／ＮＧを判断するための評価項目を効率よく抽出するものではない。これにより、評価項目を抽出する際に、評価者に依存することなく、即座に評価対象マシンに最適なチェックリストを作成することができないという問題がある。
【０００８】
本発明はこのような問題点を解決するためになされたものであり、評価者に依存することなく、即座に評価対象マシンに最適なチェックリストを作成するチェックリスト生成装置、チェックリスト生成方法及びチェックリスト生成プログラムを提供することを目的とする。
【課題を解決するための手段】
【０００９】
本発明の第１の実施の態様にかかるチェックリスト生成装置は、評価対象マシンを構成する構成要素に関する構成要素情報を取得する構成要素情報取得手段と、マシンの構成要素のそれぞれと当該構成要素の基本動作を確認する評価項目を対応付けて記憶する基本動作評価項目記憶手段と、前記マシンの構成要素のそれぞれと当該構成要素に関する障害情報を対応付けて記憶する障害情報記憶手段と、前記構成要素情報取得手段により取得された構成要素情報に基づいて、前記基本動作評価項目記憶手段から当該構成要素情報に含まれる各構成要素に対応する評価項目を抽出するとともに前記障害情報記憶手段から当該構成要素情報に含まれる各構成要素に対応する障害情報に基づく評価項目を抽出し前記評価対象マシンの評価に用いるチェックリストを生成するチェックリスト生成手段とを備えるものである。
【００１０】
また、本発明の第２の実施の態様にかかるチェックリスト生成方法は、評価対象マシンを構成する構成要素に関する構成要素情報を取得するステップと、前記構成要素情報に含まれる各構成要素に予め対応付けられている評価項目を抽出するとともに、当該構成要素情報に含まれる各構成要素に予め対応付けられている障害情報に基づいて定められる評価項目を抽出するステップと、前記抽出した評価項目から、当該構成要素の動作を確認する評価項目と当該構成要素を組み合わせた動作を確認する評価項目を選択しチェックリストを生成するステップを備えることである。
【００１１】
また、本発明の第３の実施の態様にかかるチェックリスト生成プログラムは、評価対象マシンを構成する構成要素に関する構成要素情報を取得するステップと、前記構成要素情報に含まれる各構成要素に予め対応付けられている評価項目を抽出するとともに、当該構成要素情報に含まれる各構成要素に予め対応付けられている障害情報に基づいて定められる評価項目を抽出するステップと、前記抽出した評価項目から、当該構成要素の動作を確認する評価項目と当該構成要素を組み合わせた動作を確認する評価項目を選択しチェックリストを生成するステップとをチェックリスト生成装置の制御コンピュータに実行させるものである。
【発明の効果】
【００１２】
本発明により、評価者に依存することなく、即座に評価対象マシンに最適なチェックリストを作成するチェックリスト生成装置、チェックリスト生成方法及びチェックリスト生成プログラムを提供することができる。
【図面の簡単な説明】
【００１３】
【図１】実施の形態１にかかるチェックリスト生成装置の構成図である。
【図２】実施の形態１にかかるチェックリスト生成装置の構成図である。
【図３】実施の形態１にかかる型番情報と製品情報の変換テーブルを示す図である。
【図４】実施の形態１にかかる基本動作評価項目記憶部の保持する情報テーブルである。
【図５】実施の形態１にかかる障害情報記憶部の保持する情報テーブルである。
【図６】実施の形態１にかかるチェックリストを示す図である。
【図７】実施の形態１にかかる型番情報と製品情報の変換処理に関するフローチャートである。
【図８】実施の形態１にかかるチェックリストの生成処理に関するフローチャートである。
【図９】実施の形態１にかかる評価実施の処理に関するフローチャートである。
【図１０】実施の形態２にかかるソフトウェア名情報と製品情報の変換テーブルを示す図である。
【発明を実施するための形態】
【００１４】
（実施の形態１）
以下、図面を参照して本発明の実施の形態について説明する。図１は本発明の実施の形態１にかかるチェックリスト生成装置の構成を示した図である。チェックリスト生成装置１０は、ハードウェア及びソフトウェアをカスタマイズして構成するマシンの評価項目を示すチェックリストを生成する装置である。チェックリスト生成装置１０は、構成要素情報取得部１１と、チェックリスト生成部１２と、基本動作評価項目記憶部１３と、障害情報記憶部１４を備えている。
【００１５】
構成要素情報取得部１１は、評価対象マシン１を構成する構成要素に関する構成要素情報を取得する。具体的には、評価対象マシンを構成しているハードウェア又はソフトウェアの構成要素に関する構成要素情報を取得する。構成要素情報取得部１１が取得した評価対象マシン１を構成する構成要素に関する構成要素情報は、チェックリスト生成部１２に出力される。
【００１６】
基本動作評価項目記憶部１３は、評価対象マシンを含むマシンの構成要素のそれぞれと当該構成要素の基本動作を確認する評価項目を対応付けて記憶している。
【００１７】
障害情報記憶部１４は、マシンの構成要素のそれぞれと当該構成要素に関する障害情報を対応付けて記憶している。障害情報とは、過去に当該構成要素に関する評価を実施した際に発生した障害情報や、マシンを使用しているユーザからの申告により判明した障害情報を含むものとする。
【００１８】
チェックリスト生成部１２は、構成要素情報取得部１１から取得した構成要素情報と、当該構成要素情報に含まれる各構成要素に対応する評価項目を基本動作評価項目記憶部１３より抽出する。さらに、当該構成要素情報に含まれる各構成要素に対応する障害情報に基づく評価項目を障害情報記憶部１４より抽出する。チェックリスト生成部１２は、基本動作評価項目記憶部１３と障害情報記憶部１４より抽出した評価項目を用いて評価対象マシン１の評価に用いるチェックリストを生成する。
【００１９】
次に、図２を用いて本発明の実施の形態１にかかるチェックリスト生成装置の詳細な構成について説明する。チェックリスト生成装置１０は、構成要素情報取得部１１と、チェックリスト生成部１２と、基本動作評価項目記憶部１３と、障害情報記憶部１４と、構成情報変換部１５を備えている。
【００２０】
構成要素情報取得部１１は、評価対象マシン１のハードウェア構成情報又はソフトウェア構成情報を取得する。評価対象マシン１は、ハードウェアをカスタマイズしており、複数の製造メーカにより製造された部品を搭載している。例えばＣＰＵはＡ社製のＣＰＵであり、メモリはＢ社製のメモリであり、光学ディスクはＣ社製のものを用いてマシンを構成している。さらに、ソフトウェアに関しても、例えばＣ社製の光学ディスクにＤ社製のソフトウェアを搭載するというようにカスタマイズしている。構成要素情報取得部１１は、ハードウェア構成情報であれば、例えばハードウェアの型番情報等を取得する。また、ソフトウェア情報であれば、ソフトウェア名称もしくはシリアルナンバー等を取得する。このようにして、構成要素情報取得部１１は、評価対象マシン１を構成しているハードウェア、ソフトウェア情報を取得する。
【００２１】
取得方法として、例えば、評価対象マシン１のＯＳ（Operating System）がＷｉｎｄｏｗｓ（登録商標）である場合、ＷＭＩ（Windows Management Instrumentation）情報からハードウェア情報を取得する方法がある。また、レジストリを使用して、ソフトウェア名情報を取得する方法もある。構成要素情報取得部１１が取得した評価対象マシン１のハードウェアに関する型番情報や、ソフトウェアに関するソフトウェア名称等は、構成情報変換部１５に出力される。
【００２２】
構成情報変換部１５は、構成要素情報取得部１１から取得した型番情報等に基づいて、装置の種類（製品情報）に分類する。具体的な分類方法について、図３を用いて説明する。
【００２３】
図３（ａ）は、ＣＰＵ、メモリ、光学ドライブに関して、評価対象マシン１から取得した型番情報を示している。ＣＰＵの型番は「Ｈ  ＣＰＵ  Ｊ−００１」であり、メモリの型番は「Ｋ  ＭＥＭ−０１０２４」であり、光学ドライブの型番は「Ａ  ＤＶＤ−ＲＯＭ  Ｃ−００１」である。図３（ｂ）は、型番情報に装置の製品情報が関連付けられている。例えば、「Ｈ  ＣＰＵ  Ｉ−００１」は、Ｈ社製ＣＰＵ  Ｉシリーズに用いられていることを示している。型番情報と装置の製品情報の関連付けは、予め定められているものとする。図３（ｂ）の情報テーブルにより、評価対象マシン１から取得したＣＰＵの型番情報「Ｈ  ＣＰＵ  Ｊ−００１」は、Ｈ社製ＣＰＵ  ＪシリーズとＨ社製ＣＰＵ  Ｉシリーズに用いられており、メモリの型番「Ｋ  ＭＥＭ−０１２４」はＫ社製メモリに用いられており、光学ドライブの型番「Ａ  ＤＶＤ−ＲＯＭ  Ｃ−００１」は、Ａ社製ＤＶＤ  Ｍｕｌｔｉ  Ｄｒｉｖｅ  Ｃシリーズに用いられていることが分かる。この結果を基に、図３（ｃ）は、評価対象マシン１に用いられているＣＰＵ、メモリ、光学ドライブに製品情報を関連付けたものである。
【００２４】
図２に戻り、型番情報から装置の製品情報に変換された情報は、チェックリスト生成部１２に出力される。チェックリスト生成部１２は、取得した製品情報に関連付けられている評価項目を、基本動作評価項目記憶部１３と、障害情報記憶部１４から抽出する。ここで、基本動作評価項目記憶部１３と障害情報記憶部１４から抽出する評価項目を、図４、５を用いて説明する。
【００２５】
図４は、基本動作評価項目記憶部１３が保持する情報テーブルである。具体的には、ＤＶＤ−Ｒに書き込みができること、とする評価項目の対象ハードウェアは、Ａ社製ＤＶＤ  Ｍｕｌｔｉ  ＤｒｉｖｅＢシリーズと、Ａ社製ＤＶＤ  Ｍｕｌｔｉ  ＤｒｉｖｅＣシリーズと、Ｃ社製ＤＶＤ  Ｍｕｌｔｉ  ＤｒｉｖｅＤシリーズが関連付けられている。さらに、ＤＶＤ−Ｒ  ＤＬに書き込みができること、とする評価項目の対象ハードウェアは、Ａ社製ＤＶＤ  Ｍｕｌｔｉ  ＤｒｉｖｅＣシリーズと、Ｃ社製ＤＶＤ  Ｍｕｌｔｉ  ＤｒｉｖｅＤシリーズが関連付けられている。ここでは、主にＤＶＤ  Ｍｕｌｔｉ  Ｄｒｉｖｅに関する評価項目が抽出されており、評価対象マシン１はＡ社製ＤＶＤ  Ｍｕｌｔｉ  ＤｒｉｖｅＣシリーズを備えているため、Ａ社製ＤＶＤ  Ｍｕｌｔｉ  ＤｒｉｖｅＣシリーズに対応付けられている評価項目を抽出している。
【００２６】
また、図４では、構成要素情報取得部１１が取得した型番情報に基づいて変換された製品情報に評価項目を関連付けているが、構成要素情報取得部１１が取得した型番情報と評価項目を直接関連付けてもよい。
【００２７】
図５は、障害情報記憶部１４が保持する情報テーブルである。具体的には、ＤＶＤ−Ｒに書き込みができない、という障害情報の対象ハードウェアは、Ａ社製ＤＶＤ  Ｍｕｌｔｉ  ＤｒｉｖｅＣシリーズとＦ社製メモリとＧ社製メモリの組み合わせが関連付けられている。つまり、ＤＶＤ−Ｒに書き込みができないとする障害が発生した際にＡ社製ＤＶＤ  Ｍｕｌｔｉ  ＤｒｉｖｅＣシリーズとＦ社製メモリとＧ社製メモリが組み合わされ動作していたことを示している。また、ＤＶＤ−ＲＷの消去ができない、という障害情報の対象ハードウェアは、Ａ社製ＤＶＤ  Ｍｕｌｔｉ  ＤｒｉｖｅＣシリーズとＨ社製ＣＰＵ  Ｉシリーズの組み合わせが関連付けられている。評価対象マシン１には、Ａ社製ＤＶＤ  Ｍｕｌｔｉ  ＤｒｉｖｅＣシリーズとＨ社製ＣＰＵ  Ｉシリーズが備えられているため、どちらか一方のハードウェアを対象ハードウェアに含む評価項目を抽出している。
【００２８】
また、図５では、構成要素情報取得部１１が取得した型番情報に基づいて変換された製品情報に障害情報を関連付けているが、構成要素情報取得部１１が取得した型番情報と障害情報を直接関連付けてもよい。
【００２９】
図２に戻り、チェックリスト生成部１２は、上述したように、基本動作評価項目記憶部１３と障害情報記憶部１４から、Ｈ社製ＣＰＵ  Ｊシリーズと、Ｈ社製ＣＰＵ  Ｉシリーズと、Ｋ社製メモリと、Ａ社製ＤＶＤ  Ｍｕｌｔｉ  ＤｒｉｖｅＣシリーズのうち１つでも対象ハードウェアに含む評価項目及び障害内容があれば、抽出を行っている。チェックリスト生成部１２は、抽出した評価項目から、項目を精査してチェックリストを生成する。具体的には、対象ハードウェアの列に記載されている「＋」は、「又は」を示しており、例えば、ＤＶＤ−Ｒに書き込みができること、に対応する対象ハードウェアは、Ａ社製ＤＶＤ  Ｍｕｌｔｉ  ＤｒｉｖｅＢシリーズとＡ社製ＤＶＤ  Ｍｕｌｔｉ  ＤｒｉｖｅＣシリーズとＣ社製ＤＶＤ  Ｍｕｌｔｉ  ＤｒｉｖｅＤシリーズのうちどれか１つでも評価対象マシン１に該当すれば、チェックリストに採用するものである。
【００３０】
ここで、対象ハードウェアの列に記載されている「＊」は「かつ」を示しており、例えば、ＤＶＤ−Ｒに書き込みができない、とする障害情報に対応する対象ハードウェアは、Ａ社製ＤＶＤ  Ｍｕｌｔｉ  ＤｒｉｖｅＣシリーズと、Ｆ社製メモリと、Ｇ社製メモリが全て評価対象マシンに搭載されている場合には、チェックリストに採用するものである。
【００３１】
評価対象マシン１は、Ａ社製ＤＶＤ  Ｍｕｌｔｉ  ＤｒｉｖｅＣシリーズを備えているため、基本動作評価項目記憶部１３から抽出した項目はすべてチェックリストに採用する。また、評価対象マシン１は、Ｆ社製メモリとＧ社製メモリを備えていないため、障害情報記憶部１４から抽出した「ＤＶＤ−Ｒに書き込みができない」とする障害内容に基づく評価項目は削除される。評価対象マシン１は、Ａ社製ＤＶＤ  Ｍｕｌｔｉ  ＤｒｉｖｅＣシリーズと、Ｈ社製ＣＰＵ  Ｉシリーズを備えているため、「ＤＶＤ−ＲＷの消去ができない」とする障害内容に基づく評価項目は、チェックリストに採用される。生成されたチェックリストは図６に示される。
【００３２】
ここで、基本動作評価項目記憶部１３においても、対象ハードウェアにおいて複数のハードウェアを「＊」で組み合わせたハードウェアに関連付けられた評価項目も存在するものとする。また、障害情報記憶部１４においても、対象ハードウェアにおいて複数のハードウェアを「＋」で組み合わせたハードウェアに関連付けられた評価項目も存在するものとする。
【００３３】
図２に戻り、障害情報記憶部１４には、障害情報入力装置２より、随時障害情報を入力することが可能である。例えば、評価を行っている時に発見された障害情報や、マシンを使用しているユーザから申告された障害情報等を、障害入力装置２を介して障害情報記憶部１４に入力することができる。例えば、障害内容として「ＤＶＤ−Ｒのデータを読み込むことができない」、対象ハードウェアに「Ａ社製ＤＶＤ  Ｍｕｌｔｉ  ＤｒｉｖｅＢシリーズ」と「Ｅ社製ハードディスクＦシリーズ」の両方を搭載している場合のみの場合は、対象ハードウェアに「Ａ社製ＤＶＤ  Ｍｕｌｔｉ  ＤｒｉｖｅＢシリーズ＊Ｅ社製ハードディスクＦシリーズ」と入力する。これにより、次回「Ａ社製ＤＶＤ  Ｍｕｌｔｉ  ＤｒｉｖｅＢシリーズ」と「Ｅ社製ハードディスクＦシリーズ」を両方搭載したマシンで評価を行う場合は、「ＤＶＤ−Ｒのデータを読み込むことができない件が発生しないこと」というチェック項目が追加されることになる。
【００３４】
次に、図７乃至９を用いて本発明の実施の形態１にかかるチェックリスト生成装置の処理の流れにつき説明する。図７は、ハードウェアの型番情報と製品情報の対応付けを行う処理の流れを示している。
【００３５】
はじめに、ハードウェア型番情報と、当該型番情報に対応する製品情報を入力する（Ｓ１）。具体的には、チェックリスト生成装置１０に対して外部入力媒体であるＵＳＢメモリ等を用いて情報の入力を行う。
【００３６】
次に、基本動作評価項目記憶部１３に、製品情報に対応する評価項目を入力する（Ｓ２）。本入力作業も、Ｓ１と同様にＵＳＢメモリ等を用いて情報の入力を行う。
【００３７】
次に、構成情報変換部１５は、構成要素情報取得部１１が取得した評価対象マシン１のハードウェア構成要素である型番情報を用いて、当該型番情報に関連付けられている製品情報を検索する（Ｓ３）。
【００３８】
次に、構成要素情報取得部１１が取得した評価対象マシン１のハードウェア構成要素である型番情報と製品情報が関連付けられている場合は（Ｓ４）、型番情報を製品情報に変換して、チェックリスト生成部１２に出力する（Ｓ５）。構成要素情報取得部１１が取得した評価対象マシン１のハードウェア構成要素である型番情報と製品情報が関連付けられていない場合は、型番情報を製品情報に変換を行わない（Ｓ４）。もしくは、「ＤＶＤ  ＲＯＭ」の情報が型番情報に含まれている場合、「ＤＶＤ  ＲＯＭ」を含む型番情報に対応する製品情報をすべてチェックリスト生成部１２に出力してもよい。また、関連付けられていない型番情報と製品情報の入力を促す表示をチェックリスト生成装置１０の表示部（図示せず）に出力してもよい。また、関連付けられていない型番のハードウェアに関する評価項目は出力しないとしてもよい。
【００３９】
次に、構成要素情報取得部１１が取得した評価対象マシン１の型番情報に関連付けられている製品情報をすべてチェックリスト生成部１２に対して出力を行った場合、（１）の処理に進む。チェックリスト生成部１２に対して出力を行っていない型番情報がある場合は、Ｓ３の処理に戻り、処理を継続する（Ｓ６）。
【００４０】
次に、図８を用いて本発明の実施の形態１にかかるチェックリスト生成に関する処理の流れにつき説明を行う。
【００４１】
はじめに、チェックリスト生成部１２が取得した製品情報を対象ハードウェアに含む評価項目を、基本動作評価項目記憶部１３及び障害情報記憶部１４からすべて抽出する（Ｓ７）。
【００４２】
次に、評価項目に関連付けられている対象ハードウェア情報に、「＋」、「＊」、が含まれているか否かを確認する（Ｓ８）。「＋」は「又は」を示しており、前後の項目のどちらかのハードウェアが搭載されている場合の評価項目であることを示す。「＊」は「かつ」を示しており、前後の項目が両方とも搭載されている場合の評価項目であることを示す。対象ハードウェア情報に「＋」又は「＊」が含まれている場合には次の処理を行う。チェックリスト生成部１２が、構成情報変換部１５より取得した製品情報と対象ハードウェアの項目が一致する場合は「１」を設定し、対象ハードウェアの項目が、構成情報変換部１５により取得した製品情報と一致しない場合は「０」を設定する（Ｓ９）。
【００４３】
次に、Ｓ９により設定した数値を、対象ハードウェアの式で計算する（Ｓ１０）。具体的には、対象ハードウェアが「Ａ社製ＤＶＤ  Ｍｕｌｔｉ  ＤｒｉｖｅＣシリーズ  ＊  Ｈ社製ＣＰＵ  Ｉシリーズ」で、チェックリスト生成部１２が「Ａ社製ＤＶＤ  Ｍｕｌｔｉ  ＤｒｉｖｅＣシリーズ」と「Ｈ社製ＣＰＵ  Ｉシリーズ」の製品情報を取得したとする。この場合、対象ハードウェアに「Ａ社製ＤＶＤ  Ｍｕｌｔｉ  ＤｒｉｖｅＣシリーズ」が存在するので「１」と設定する。さらに、「Ｈ社製ＣＰＵ  Ｉシリーズ」も存在するので「１」と設定する。これを対象ハードウェアの式で計算すると「１＊１＝１」となる。また、対象ハードウェアが「Ｃ社製ＤＶＤ  Ｍｕｌｔｉ  ＤｒｉｖｅＤシリーズ  ＋  Ｈ社製ＣＰＵ  Ｉシリーズ」で、チェックリスト生成部１２が「Ａ社製ＤＶＤ  Ｍｕｌｔｉ  ＤｒｉｖｅＣシリーズ」と「Ｈ社製ＣＰＵ  Ｉシリーズ」の製品情報を取得したとする。この場合、「Ｃ社製ＤＶＤ  Ｍｕｌｔｉ  ＤｒｉｖｅＤシリーズ」に関する製品情報は取得されていないため「０」と設定する。チェックリスト生成部１２が取得した「Ｈ社製ＣＰＵ  Ｉシリーズ」は対象ハードウェアに存在するため、「１」と設定する。これを対象ハードウェアの式で計算すると「１＋０＝１」となる。
【００４４】
次に、対象ハードウェアの式で計算した結果が１以上であるか否かを確認する（Ｓ１１）。計算した結果が１以上である場合には、チェックリストに追加を行う（Ｓ１３）。計算した結果が０である場合には、チェックリストに追加を行わない。
【００４５】
次に、対象ハードウェア情報に「＋」、「＊」が含まれていない場合に、対象ハードウェア情報に含まれる製品情報が、評価対象マシン１から抽出した製品情報と一致するか否かを確認する（Ｓ１２）。一致する場合には、チェックリストに追加を行う（Ｓ１３）。一致しない場合にはチェックリストへの追加を行わない。ここで、チェックリストに採用する評価項目数が指定されている場合には、事前にそれぞれの評価項目に優先度を設けておき、優先度順に評価項目を絞り込み、チェックリストを生成してもよい。
【００４６】
次に、チェックリスト生成部１２が抽出した評価項目すべてについて、対象ハードウェアと製品情報のチェックを完了した場合、（２）の処理に進む。まだチェックしていない評価項目が存在する場合は、Ｓ７の処理に戻る（Ｓ１４）。
【００４７】
次に、図９を用いて本発明の実施の形態１にかかるチェックリスト生成装置への障害情報の入力の処理の流れにつき説明を行う。
【００４８】
はじめに、作成したチェックリストを表示または出力する（Ｓ１５）。
【００４９】
次に、評価者は、表示されたチェックリストに従って評価対象マシンの評価を実施する（Ｓ１６）。
【００５０】
次に、評価実施時に障害が発生した場合（Ｓ１７）、障害内容を、障害情報入力装置２を用いて障害情報記憶部１４に入力する（Ｓ１８）。障害が発生していない場合は、入力作業を実施しない。
【００５１】
本作業をチェックリストに挙げられているすべての評価項目の評価が終了するまで継続する（Ｓ１９）。
【００５２】
以上説明したように、本発明の実施の形態１にかかるチェックリスト生成装置を用いることにより、ハードウェアの型番情報と製品情報の関連付けを行うことができる。さらに、評価項目毎に対象とするハードウェア条件が関連付けられているため、必要な評価項目を抽出することができる。これにより、評価対象マシンのハードウェア構成に最適なチェックリストを短時間で正確に作成することができる。
【００５３】
また、障害発生時に障害情報にハードウェアの製品情報を関連付けておくことで、チェックリスト作成時に登録された障害情報が評価項目として抽出されるため、チェックリストをさらに充実させることができる。また、障害情報を常時更新可能な状態にしておくことで、チェックリストも常に最新の状態を保つことができる。
【００５４】
（実施の形態２）
次に、本発明の実施の形態２にかかるチェックリスト生成装置について説明する。実施の形態２におけるチェックリスト生成装置の構成は図１及び図２と同様であるため、説明を省略する。実施の形態１においては、型番情報等の主にハードウェアの構成要素を用いたチェックリストの生成について説明を行った。実施の形態２においては、主にソフトウェアの構成要素を用いたチェックリストの生成について説明を行う。
【００５５】
図１０を用いて本発明の実施の形態２にかかるチェックリスト生成装置が取得するソフトウェア構成要素について説明を行う。図１０（ａ）は、構成要素情報取得部１１が評価対象マシン１から取得したソフトウェア名を示している。評価対象マシン１は、「ＤＶＤ  Ｐｌａｙｅｒ  Ｖｅｒ１．１」と、「ＶｉｒｕｓＳｃａｎｅｒ３」と、「ＤＶＤ  Ｗｒｉｔｅｒ  ２．０」を備えている。
【００５６】
図１０（ｂ）は、ソフトウェア名と製品情報を関連付けたものである。具体的には、「ＤＶＤ  Ｐｌａｙｅｒ  Ｖｅｒ１．１」は「Ａ社製ＤＶＤ  Ｐｌａｙｅｒソフト」と関連付けられており、「ＶｉｒｕｓＳｃａｎｅｒ３」は「Ｃ社製  ＶｉｒｕｓＳｃａｎソフト」と関連付けられている。さらに、「ＤＶＤ  Ｗｒｉｔｅｒ２．０」は「Ｇ社製ＤＶＤライティングソフト」と関連付けられている。
【００５７】
この結果に基づいて、図１０（ｃ）のように、評価対象マシン１のソフトウェア名情報から、ソフトウェアの製品情報を取得することができる。
【００５８】
チェックリスト生成部１２は、ソフトウェアの製品情報に基づいて、基本動作評価項目記憶部１３及び障害情報記憶部１４より、評価項目の抽出を行う。評価項目の抽出及びチェックリストの生成については、実施の形態１と同様の処理（図７乃至９）と同様であるため、説明を省略する。
【００５９】
以上説明したように、本発明の実施の形態２にかかるチェックリスト生成装置を用いることにより、ソフトウェア名情報と製品情報の関連付けを行うことができる。さらに、評価項目毎に対象とするソフトウェア条件が関連付けられているため、必要な評価項目を抽出することができる。これにより、評価対象マシンのソフトウェア構成に最適なチェックリストを短時間で正確に作成することができる。
【００６０】
なお、本発明は上記実施の形態に限られたものではなく、趣旨を逸脱しない範囲で適宜変更することが可能である。例えば、実施の形態１にかかるハードウェア情報と実施の形態２にかかるソフトウェア情報を組み合わせ、ハードウェアとソフトウェアの製品情報の組み合わせに関連づけられる評価項目を設定してもよい。また、ハードウェアの型番情報とソフトウェアのソフトウェア名情報の組み合わせに関連づけられる評価項目を設定してもよい。
【符号の説明】
【００６１】
１  評価対象マシン
２  障害情報入力装置
１０  チェックリスト生成装置
１１  構成要素情報取得部
１２  チェックリスト生成部
１３  基本動作評価項目記憶部
１４  障害情報記憶部
１５  構成情報変換部
【図１】
2010244439.tif 000003
【図２】
2010244439.tif 000004
【図３】
2010244439.tif 000005
【図４】
2010244439.tif 000006
【図５】
2010244439.tif 000007
【図６】
2010244439.tif 000008
【図７】
2010244439.tif 000009
【図８】
2010244439.tif 000010
【図９】
2010244439.tif 000011
【図１０】
2010244439.tif 000012